(57)【要約】【課題】ＲＦＩＤタグを備えた小型の部品等のピックアップ時に当該部品のＲＦＩＤタグに対する読み書きを行うことができ、かつ可搬性を有するピックアップ装置を提供する。【解決手段】ＲＦＩＤタグ３１が配置された、もしくはＲＦＩＤタグ３１からなる部品をピックアップするピックアップ装置１であって、部品をピックアップするピックアップ器具１０と、ＲＦＩＤタグ３１に対する情報の読み書きを行う制御部１３とを有し、ピックアップ器具１０は、部品をピックアップする箇所の付近にループ状のコイルからなる検出部１１を有し、検出部１１と制御部１３とはケーブル１２により接続され、制御部１３は、ユーザがピックアップ器具１０を操作して部品をピックアップしたときに、検出部１１を介してＲＦＩＤタグ３１に対する情報の読み書きを行う。【選択図】図１
2018124807.tif 000002
【特許請求の範囲】
【請求項１】
ＲＦＩＤタグが配置された、もしくはＲＦＩＤタグからなる部品をピックアップするピックアップ装置であって、
前記部品をピックアップするピックアップ器具と、
前記ＲＦＩＤタグに対する情報の読み書きを行う制御部と、を有し、
前記ピックアップ器具は、前記部品をピックアップする箇所の付近にループ状のコイルからなる検出部を有し、前記検出部と前記制御部とは、ケーブルにより接続され、
前記制御部は、ユーザが前記ピックアップ器具を操作して前記部品をピックアップしたときに、前記検出部を介して前記ＲＦＩＤタグに対する情報の読み書きを行う、ピックアップ装置。
【請求項２】
請求項１に記載のピックアップ装置において、
前記ピックアップ器具は、前記箇所の付近の少なくとも１点以上で前記部品を支持して前記部品を挟むことで前記部品をピックアップする、ピックアップ装置。
【請求項３】
請求項２に記載のピックアップ装置において、
前記ピックアップ器具において前記部品を支持する点の少なくとも１つを含む部分が金属製であり、前記金属製の部分の付近に切欠部が形成されており、前記切欠部の一方の端部に信号ラインが接続され、他方の端部にアースラインが接続された、ピックアップ装置。
【請求項４】
請求項３に記載のピックアップ装置において、
前記信号ラインと前記アースラインからなるツイストペアケーブルにより前記ケーブルが構成されている、ピックアップ装置。
【請求項５】
請求項３に記載のピックアップ装置において、
前記信号ラインが接続された状態で前記ピックアップ器具に貼付されたスプリットラインにより前記ケーブルが構成されている、ピックアップ装置。
【請求項６】
請求項２に記載のピックアップ装置において、
前記ピックアップ器具において前記部品を支持する点の少なくとも１つを含む部分が金属製であり、前記金属製の部分の付近に切欠部が形成されており、前記切欠部の一方の端部に前記ケーブルを構成する同軸ケーブルの芯線が接続された、ピックアップ装置。
【請求項７】
請求項６に記載のピックアップ装置において、
前記同軸ケーブルは、前記ピックアップ器具に設けられた溝部もしくは貫通孔に沿って収納されている、ピックアップ装置。
【請求項８】
請求項１に記載のピックアップ装置において、
前記ピックアップ器具は、前記部品を吸引することで前記部品をピックアップする、ピックアップ装置。
【請求項９】
請求項８に記載のピックアップ装置において、
前記ピックアップ器具は、空気の吸引圧力により前記部品を吸引する、ピックアップ装置。
【請求項１０】
請求項８に記載のピックアップ装置において、
前記ピックアップ器具は、磁力により前記部品を吸引する、ピックアップ装置。
【発明の詳細な説明】
【技術分野】
【０００１】
本発明は、部品等の微小な物をピックアップする技術に関し、特に、ＲＦＩＤ（Radio Frequency IDentification）タグを備えた物をピックアップするピックアップ装置に適用して有効な技術に関するものである。
【背景技術】
【０００２】
例えば、大型の機械や装置等の構造物では、製造に際して種類が異なる多数のボルトやネジ等（以下では単に「ボルト」と記載する場合がある）の部品が用いられる。また、ボルトでは頭部の大きさや形状が同じでも首下の長さが異なるものがある等、間違ったボルトを取り付けてしまうミスが生じ易く、取り付けて初めてミスに気付く場合も多い。また、これらのボルトでは、同じものでも取付部位によってトルク値が異なる場合がある上に、１０年等の一定の期間で全て交換することが必要となる場合もある等、ボルト毎の固体管理が必要となる場合がある。
【０００３】
このような部品の種類の識別や固体管理等を可能とするため、部品にＲＦＩＤタグ（ＩＣタグ、電子タグ、無線タグ等の各種名称で称呼されるものを全て含む）を配置して、固体を識別可能とすることが検討されている。例えば、特開２００６−２０２２５７号公報（特許文献１）には、金属製のボルトの頭部にＲＦＩＤタグを配置する旨が記載されている。
【０００４】
一方、装着する部品の種類を間違えないようにするための技術として、例えば、特開２００９−１３７７４８号公報（特許文献２）には、収納庫等に収納された部品を作業者がピックアップする際に、収納庫等に取り付けられたＲＦＩＤタグを作業者が装着したウェアラブルデバイスにより読み取ることで、作業者が当該部品をピックアップする動作を行ったことを検出する旨が記載されている。
【先行技術文献】
【特許文献】
【０００５】
【特許文献１】特開２００６−２０２２５７号公報
【特許文献２】特開２００９−１３７７４８号公報
【発明の概要】
【発明が解決しようとする課題】
【０００６】
構造物の製造等に用いられる部品は、ボルト等、指で掴むことができる程度の大きさのものから、ＲＦＩＤタグ自体のように数ミリメートル四方程度のさらに小さなものまである。このような小さな部品は、専用の器具を用いてピックアップする必要がある、もしくはそのような器具を用いてピックアップする方が効率的である。また、構造物の製造作業は屋外を含む様々な場所で行われる場合があり、このような器具は、ウェアラブルな構成とする等、小型で可搬性を有することが望ましい。
【０００７】
一方で、ピックアップする部品の種類を間違えないように識別するとともに、部品の装着後ではなく、ピックアップ時等の装着前の時点で、部品の種類に加えてさらに個々の部品毎の単位で固体管理することが必要となる場合もある。この点、特許文献２に記載された技術では、部品のピックアップ時にどの種類の部品をピックアップしたかを識別することが可能であるが、収納庫の単位でＲＦＩＤタグを備える構成であるため、個々の部品毎の固体管理までピックアップ時に行うことはできない。
【０００８】
そこで本発明の目的は、ＲＦＩＤタグを備えた小型の部品等のピックアップ時に当該部品のＲＦＩＤタグに対する読み書きを行うことができ、かつ可搬性を有するピックアップ装置を提供することにある。
【０００９】
本発明の前記ならびにその他の目的と新規な特徴は、本明細書の記述および添付図面から明らかになるであろう。
【課題を解決するための手段】
【００１０】
本願において開示される発明のうち、代表的なものの概要を簡単に説明すれば、以下のとおりである。
【００１１】
本発明の代表的な実施の形態によるピックアップ装置は、ＲＦＩＤタグが配置された、もしくはＲＦＩＤタグからなる部品をピックアップするピックアップ装置であって、前記部品をピックアップするピックアップ器具と、前記ＲＦＩＤタグに対する情報の読み書きを行う制御部と、を有する。そして、前記ピックアップ器具は、前記部品をピックアップする箇所の付近にループ状のコイルからなる検出部を有し、前記検出部と前記制御部とは、ケーブルにより接続され、前記制御部は、ユーザが前記ピックアップ器具を操作して前記部品をピックアップしたときに、前記検出部を介して前記ＲＦＩＤタグに対する情報の読み書きを行うものである。
【発明の効果】
【００１２】
本願において開示される発明のうち、代表的なものによって得られる効果を簡単に説明すれば以下のとおりである。
【００１３】
すなわち、本発明の代表的な実施の形態によれば、ＲＦＩＤタグを備えた小型の部品等のピックアップ時に当該部品のＲＦＩＤタグに対する読み書きを行うことができ、かつ可搬性を有するピックアップ装置を実現することが可能となる。
【図面の簡単な説明】
【００１４】
【図１】本発明の実施の形態１であるピックアップ装置の構成例について概要を示した図である。
【図２】ＲＦＩＤタグの構成例について概要を示した図である。
【図３】（ａ）、（ｂ）は、本発明の実施の形態１における第１の方式のピックアップ装置の例について概要を示した図である。
【図４】（ａ）、（ｂ）は、本発明の実施の形態１におけるＲＦＩＤタグの検出の手法について概要を示した図である。
【図５】（ａ）、（ｂ）は、本発明の実施の形態１におけるケーブルの構成の変形例について概要を示した図である。
【図６】本発明の実施の形態２であるピックアップ装置の構成例について概要を示した図である。
【図７】本発明の実施の形態２であるピックアップ装置の他の構成例について概要を示した図である。
【発明を実施するための形態】
【００１５】
以下、本発明の実施の形態を図面に基づいて詳細に説明する。なお、実施の形態を説明するための全図において、同一部には原則として同一の符号を付し、その繰り返しの説明は省略する。一方で、ある図において符号を付して説明した部位について、他の図の説明の際に再度の図示はしないが同一の符号を付して言及する場合がある。
【００１６】
（実施の形態１）
本発明の実施の形態１であるピックアップ装置は、ＲＦＩＤタグが配置された小型の部品（アンテナ一体型の小型のパッケージタグ等、ＲＦＩＤタグ自体であってもよい）をピックアップする器具であり、ピックアップした際に当該部品のＲＦＩＤタグに対して情報を読み書きするリーダ／ライタ機能を備えることで、当該部品の固体管理を可能とするものである。なお、以下では特に断らない限り、ＲＦＩＤタグ自体を部品としてピックアップする場合を例として説明するものとする。
【００１７】
図２は、ＲＦＩＤタグの構成例について概要を示した図である。ＲＦＩＤタグ３１は、例えば、一般に市販されている２．５ｍｍ四方程度の小型のパッシブタイプのＲＦＩＤタグを対象とすることができる。ＲＦＩＤタグ３１は、絶縁樹脂等の基材３１１の中央付近に配置されたＩＣチップ３１３の周囲に導体の配線によりアンテナコイル３１２が形成された構成を有する。
【００１８】
このＲＦＩＤタグ３１のような小型の部品をピックアップする方式としてはいくつかのものが考えられるが、本実施の形態のピックアップ装置では、部品を２箇所以上で支持することで保持する場合を例とする。これには、例えば、「掴む」、「挟む」、「つまむ」等として表される動作によりピックアップすることが広く含まれる。以降では、この第１の方式を行う動作を「挟む」と総称する場合がある。
【００１９】
図３は、本実施の形態における第１の方式のピックアップ装置の例について概要を示した図である。ここでは、ピックアップ装置１が部品等を「挟む」手法について説明するため、ピックアップ装置１を構成するピックアップ器具１０の部分を中心に図示し、他の構成要素は記載を省略している。
【００２０】
図３（ａ）は、ピックアップ装置１を構成するピックアップ器具１０が、部品を２箇所で支持する構成を備える場合の例を示している。例えば、図示するように、２つの板状もしくは棒状の部材の先端部によって部品等を挟んでピックアップする。部品等を挟む先端部付近には、ＲＦＩＤタグ３１と信号の授受を行うための図示しない１回巻きもしくは複数回巻きのループ状のコイルアンテナが形成された検出部１１を備えている。
【００２１】
図３（ａ）では、代表例として、２つの部材が一端で一体的に結合された構造を有するピンセットやトング状の器具を示しているが、２つの部材それぞれの中間部分で可動に結合されたハサミのような構造を有していてもよい。また、箸のように一体に結合されていない構成であってもよい。これらの部材は全てが金属製（もしくは導体製）であってもよいし、検出部１１を備える方（もしくは備える部分）の部材が金属製で、他方（もしくは他の部分）の部材が非金属製であってもよい。
【００２２】
図中では、このような構造のピックアップ装置１により、部品ケース等に収納された多数の中から１つずつＲＦＩＤタグ３１をピックアップする例を示している。本実施の形態では、ピックアップ器具１０がＲＦＩＤタグ３１を挟む部分（図３（ａ）の例ではピックアップ器具１０の先端部）付近に、ＲＦＩＤタグ３１の検出部１１を備える。これにより、ピックアップ器具１０がＲＦＩＤタグ３１を挟んでいるタイミングで、ＲＦＩＤタグ３１に対する情報の読み書きが可能となる。
【００２３】
図３（ｂ）は、ピックアップ器具１０が部品に対して１箇所で接触して支持する構成の例を示している。ここでは、代表例として、ピックアップ器具１０が指サックの形状を有して作業者（ロボット等も含む）の指に装着されており、指の先端部付近に検出部１１を有する構成を示している。この検出部１１における図示しないループ状のコイルアンテナは、指の動作を阻害しない柔軟な構造を有しているのが望ましい。
【００２４】
図３（ｂ）の例では、ピックアップ器具１０自体は部品等（図３（ｂ）の例ではＲＦＩＤタグ３１が配置されたボルト等の部品３）に対して１箇所でしか支持していないが、作業者の他の指が部品３に接触して支持することで、作業者の手全体として部品３を挟んで保持している。このように、ピックアップ器具１０自体によって部品等を挟む場合に加えて、ピックアップ器具１０を一部に利用して挟む場合も広く含むものとする。また、部品等を挟むために支持する箇所は３箇所以上であってもよい。
【００２５】
図１は、本発明の実施の形態１であるピックアップ装置の構成例について概要を示した図である。図１の例では、部品等を「挟む」ためのピックアップ器具１０としてピンセットを用いた構成を示している。ピックアップ装置１は、図３（ａ）の例と同様に、ピックアップ器具１０における部品等を挟む箇所（図１の例ではピックアップ器具１０の先端部）に検出部１１を備えている。
【００２６】
検出部１１には、ＲＦＩＤタグ３１と信号の授受を行うためのループ状のコイルアンテナが形成される。このコイルアンテナの寸法は、使用する電波の波長に対して十分に微少とみなすことができる程度である。検出部１１の詳細については後述する。検出部１１は、ケーブル１２を介して制御部１３に接続される。制御部１３は、例えば、蓄電池等により構成される図示しない電源機構から電力の供給を受けて、検出部１１を介してＲＦＩＤタグ３１に対する読み書きを行うリーダ／ライタ機能を有する。また、読み取ったＩＤを、当該ＩＤに関連した情報処理を行う上位システム２に対して送信し、もしくは、上位システム２からＲＦＩＤタグ３１に書き込む情報を受信するための、有線もしくは無線の通信機能を有していてもよい。ピックアップ装置１全体として可搬性を確保するとともに、ピックアップ器具１０の操作性を向上させるため、制御部１３はピックアップ器具１０とは独立した構成とし、ウェアラブルな構成として実装するのが望ましい。
【００２７】
図１には、検出部１１の拡大図についても示している。上述したように、検出部１１にはループ状のコイルアンテナが形成される必要がある。しかしながら、このようなピックアップ装置１では、部品等を挟む先端部付近が作業上重要であるところ、先端部付近にループ状のコイルアンテナのような構造を実装すると、ピックアップ作業の際の大きな邪魔となり得る。
【００２８】
そこで、本実施の形態では、ピックアップ器具１０（の少なくとも検出部１１付近）を金属製とするとともに、この金属製の部分を高周波電流の伝送路として利用することで、ケーブル１２と合わせてコイル構造を形成する。すなわち、信号ライン１２１側の配線を延伸させて１回巻きのループ状のコイルアンテナを形成するのではなく、頑丈なループ状コイルアンテナを形成するために、頑丈とはいえない信号ライン１２１が延伸する長さを可能な限り短くする。具体的には、信号ライン１２１が延伸する長さを１回巻き以下の短い長さとし、残りの長さをピックアップ器具１０の金属製部分における切欠部１１１の湾曲部からアースライン１２２につながる最短の長さ部分を利用することで、等価的に合計１回巻きループ状のコイルアンテナを実現する。これにより、ピックアップ器具１０の先端部付近の構造をシンプルかつ頑丈にする。
【００２９】
具体的には、拡大図に示すように、例えば、ピックアップ器具１０である金属製のピンセットの上側板１０１ａ（下側板１０１ｂであってもよい）に対して、信号ライン１２１とアースライン１２２の２本のケーブルを、間隔を空けてはんだ等により接続する。本実施の形態では、コイルをより効率よく形成するために、上側板１０１ａの先端部のＲＦＩＤタグ３１を挟む箇所付近に、図示するような切欠部１１１を設け、その両端部分付近に信号ライン１２１およびアースライン１２２を接続するものとする。なお、これらのケーブルは、例えば、撚ってツイストペアケーブルとすることでケーブル１２を形成する。
【００３０】
図４は、本実施の形態におけるＲＦＩＤタグ３１の検出の手法について概要を示した図である。ここでは、図１の拡大図と同様に、ピンセット状のピックアップ器具１０の先端部付近を拡大した状態を示している。図４（ａ）では、ピックアップ器具１０の上側板１０１ａおよび下側板１０１ｂがいずれも金属製の部材により構成されている場合の例を示し、図４（ｂ）では、信号ライン１２１およびアースライン１２２が接続されていない方である下側板１０１ｂが非金属製の部材により構成されている場合の例を示している。図４（ａ）、（ｂ）いずれの場合も、図示するように、信号ライン１２１を流れる高周波電流ｉは、アース部となる上側板１０１ａの切欠部１１１の周囲を通って、アースライン１２２に流れる。
【００３１】
このとき、信号ライン１２１が、ピンセットの上側板１０１ａを流れる高周波電流ｉを流用することで、信号ライン１２１の先端部分と合わせてループ状のコイルアンテナを形成することができる。このコイル面に対しては、図４（ａ）、（ｂ）に示すような磁界分布Φが発生する。すなわち、図４（ａ）では、磁界分布Φは、コイル面において金属製の下側板１０１ｂを貫通することができないため、ＲＦＩＤタグ３１を通った磁界分布Φは、図示するように下側板１０１ｂとの間を通って出てくることになる。一方、図４（ｂ）では、磁界分布Φはコイル面において非金属製の下側板１０１ｂを貫通することができるため、図示するような磁界分布Φとなる。
【００３２】
コイル面に発生するこれらの磁界分布Φにより、ＲＦＩＤタグ３１と誘導結合して通信することができる。このような磁界分布Φを発生させるため、切欠部１１１の凹部により形成される面は、ピンセットの先端部分でＲＦＩＤタグ３１を挟んだときに、ＲＦＩＤタグ３１の面と略平行となるように形成されるのが望ましい。また、磁界分布Φがアース部となる上側板１０１ａにより遮蔽されるのを抑えるには、切欠部１１１の凹部を、ピックアップ器具１０としての強度が確保できる範囲で可能な限り広くとる方がよい。
【００３３】
図５は、本実施の形態におけるケーブル１２の構成の変形例について概要を示した図である。図１および図４に示した例では、信号ライン１２１とアースライン１２２の２本のケーブルでツイストペアケーブルを構成している。ツイストペアケーブルとした場合、ケーブルの形態上の特性として邪魔にならないように取り回すことが困難な場合がある。
【００３４】
そこで、ケーブル処理をより邪魔にならないような形で行うことを可能とする変形例として、図５（ａ）では、ピンセットの上側板１０１ａに沿って取り回すケーブル１２の部分を、ツイストペアケーブルからストリップライン１２ａに置き換えてリード線を排除している。この場合でも、ストリップライン１２ａの伝送線と接続された信号ライン１２１と、上側板１０１ａの切欠部１１１の周囲との間で、図４に示すようなループ状のコイルアンテナを形成することができる。
【００３５】
同様に、図５（ｂ）の変形例では、上側板１０１ａに沿って取り回すケーブル１２の部分を、ツイストペアケーブルから同軸ケーブルの芯線（同軸ケーブル芯線１２ｂ）に置き換えて、不要なリード線を排除している。この場合、図１、図４や図５（ａ）の例のように、信号ライン１２１によって上側板１０１ａの切欠部１１１の周囲との間でループ状のコイルアンテナを形成するのに代えて、同軸ケーブル芯線１２ｂが切欠部１１１に露出した部分によって、上側板１０１ａの切欠部１１１の周囲との間でループ状のコイルアンテナを形成する。
【００３６】
なお、同軸ケーブル芯線１２ｂを上側板１０１ａに沿って取り回す際には、例えば、図示するように、上側板１０１ａの側面部分に沿って溝部１１２を設け、その中に同軸ケーブル芯線１２ｂを収納するようにして、同軸ケーブル芯線１２ｂの露出を抑えて耐久性を向上させるようにしてもよい。さらに露出を抑えるために、同軸ケーブルの特性を損なわない程度の範囲で溝部１１２の開放部分を埋めたり蓋をしたり等により封止してもよい。上側板１０１ａの側面部に露出した溝部１１２に限らず、例えば、上側板１０１ａの延伸方向に沿って内部を貫通するように設けられた図示しない孔部に同軸ケーブル芯線１２ｂを通す構造としてもよい。もしくは、このような内部を貫通する孔部を通した同軸ケーブル芯線１２ｂを、側面部に露出した溝部１１２に絶縁を介して通す構造としてもよい。
【００３７】
以上に説明したように、本発明の実施の形態１であるピックアップ装置１によれば、ＲＦＩＤタグ３１が配置された小型の部品（もしくはＲＦＩＤタグ３１自体）をピックアップ器具１０により「挟む」ことによってピックアップする際に、ピックアップ器具１０の先端部付近に形成された検出部１１を介して、ＲＦＩＤタグ３１に対して情報の読み書きを行うことが可能となる。
【００３８】
また、ピックアップ器具１０における金属製の先端部付近に切欠部１１１を設け、ピックアップ器具１０における切欠部１１１の周囲からアースライン１２２に流れる高周波電流を流用することで、信号ライン１２１で１つのループを形成するのではなく、信号ライン１２１と合わせて切欠部１１１の周囲にループ状のコイルアンテナを合成して形成する。これにより、ピックアップ器具１０の先端部付近の構造をシンプルにするとともに、上側板１０１ａの頑丈な構造を利用することが可能となる。
【００３９】
（実施の形態２）
本発明の実施の形態２であるピックアップ装置は、上述の実施の形態１と同様に、ＲＦＩＤタグが配置された小型の部品（もしくはＲＦＩＤタグ自体）をピックアップし、その際にＲＦＩＤタグに対して情報の読み書きを行うものである。部品をピックアップする方式として、実施の形態１では、第１の方式である「挟む」ことによって部品をピックアップするものを主に対象としていたが、本実施の形態では、第２の方式である、部品を吸着・吸引（以下では「吸引」と総称する場合がある）することによってピックアップするものを対象とする。
【００４０】
図６は、本発明の実施の形態２であるピックアップ装置の構成例について概要を示した図である。上述の実施の形態１の図１に示した構成と比較して、制御部１３および上位システム２については同様であるため再度の説明は省略する。図６の例では、ピックアップ器具１０として、部品（ＲＦＩＤタグ３１）を２箇所で支持してピックアップするピンセットではなく、空気圧によって吸引するポンプを例として説明している。
【００４１】
ピックアップ器具１０であるポンプは、例えばゴム等の伸縮性のある素材により形成されたポンプ部１１３と、空気の吸入・排出を行うノズル部１１４により構成される。作業者がポンプ部１１３を手動で握って内部の空気をノズル部１１４の先端孔から排出した後、その状態で先端孔をＲＦＩＤタグ３１の近傍に配置してポンプ部１１３を解放すると、先端孔からポンプ部１１３の内部に向かって、空気を吸引するための圧力が生じる。この吸引圧力によってＲＦＩＤタグ３１をノズル部１１４の先端に吸引することができる。
【００４２】
そして、ノズル部１１４の先端孔の部分には、検出部１１としてのループ状のコイルが形成されている。コイルがループ状であることから、先端孔の外周部分に構成することで、先端孔を塞ぐことなく空気の出入りを確保した状態でコイルを実装することができる。検出部１１に接続されたケーブル１２は、例えば、ツイストペアケーブルや同軸ケーブル等により構成され、ポンプ部１１３やノズル部１１４に沿って取り付けられたアンテナ１２３を構成する。このアンテナ１２３と、制御部１３からケーブル１３２で接続された送受信用のアンテナ部１３１との間の無線通信を介して、検出部１１は制御部１３に接続される。
【００４３】
図６の例に示したピックアップ装置１は、手動で吸引する簡易な構成のポンプをピックアップ器具１０として用いるため、低コストで容易に構成することができるというメリットを有する。一方で、手動で吸引することから吸引力が持続せず、時間の経過とともに吸引力が弱くなるというデメリットも有する。
【００４４】
図７は、本発明の実施の形態２であるピックアップ装置の他の構成例について概要を示した図である。図７の例では、動力を使用してモーター等により継続的に空気を吸引する吸引器をピックアップ器具１０として用いたものを示している。これにより、図６の例に示したような手動で吸引するピックアップ器具１０を用いる場合と比べて、ピックアップ器具１０のコストは高くなるものの、時間の経過による吸引力の低下を回避することができる。なお、図７の例では、市販されているようなハンドガンタイプの吸引器を用いる場合を示しているが、吸引器の形状や構成はこれに特に限定されない。
【００４５】
ピックアップ器具１０であるハンドガンタイプの吸引器は、例えば、本体部に内蔵された、電動ポンプ等の空気を吸引する機構からなる吸引機構１１５と、蓄電池等からなる電源部１１６を有する。また、グリップ部には、ＲＦＩＤタグ３１に対するリーダ／ライタ機能と上位システム２との通信機能を備える制御部１３が内蔵されている。図７の例では、ピックアップ器具１０自体が制御部１３や電源部１１６を備える一体型の構成としているが、図１、図６の例のように、これらの機構をピックアップ器具１０とは別に構成し、ピックアップ器具１０自体を小型・軽量化する構成としてもよい。
【００４６】
ピックアップ器具１０のノズル部１１４の先端孔には、図６の例と同様のループ状のコイルアンテナを含む検出部１１が形成されており、検出部１１に接続されたツイストペアケーブルからなるケーブル１２が制御部１３に接続されている。図７の例では、ピックアップ器具１０であるハンドガンタイプの吸引器の外部にケーブル１２を取り回す構成として記載しているが、外部に露出しないよう内部に取り回す構成としてもよい。
【００４７】
ハンドガンのトリガーの位置に構成された吸引スイッチ１１８ａが作業者により押下されると、その間、電源部１１６から電力の供給を受けた吸引機構１１５がノズル部１１４の先端孔から空気を継続的に吸引する。これによって生じる吸引圧力によってＲＦＩＤタグ３１をノズル部１１４の先端に吸引することができる。なお、吸引機構１１５が吸引した空気は、例えば、エアフィルター１１７から排出される。また同様に、吸引スイッチ１１８ａに隣接して構成された読取スイッチ１１８ｂが作業者により押下されると、制御部１３が検出部１１を介してＲＦＩＤタグ３１に対する読み書きの動作を行う。
【００４８】
なお、作業者により吸引スイッチ１１８ａが押下されてノズル部１１４の先端でＲＦＩＤタグ３１を吸引している状態でさらに読取スイッチ１１８ｂが押下された状態となったときに限り、ＲＦＩＤタグ３１の読み取り動作を行うようにしてもよい。すなわち、作業者は、吸引スイッチ１１８ａと読取スイッチ１１８ｂの押下の操作を使い分けることで、吸引動作と読取動作を必要最小限に抑えて効率化することが可能である。なお、吸引スイッチ１１８ａと読取スイッチ１１８ｂは、作業者が押下するとオン状態となり、離すとオフ状態となるプッシュスイッチや、作業者が押下するとオン状態となり、離してもオン状態が維持されるが、再度押下するとオフ状態に戻るトグルスイッチ等、操作要件に応じて適当な種類のスイッチを用いることができる。
【００４９】
図６および図７の例では、空気圧を利用して部品（ＲＦＩＤタグ３１）を吸引する方式をとる構成を示したが、部品を吸引する方式はこれに限られず、例えば、磁石等の磁気を用いて吸引する方式とすることも可能である。この場合、部品の材質によっては磁気によって吸引できないものが生じ得る。また、例えば永久磁石を用いる場合は、ピックアップ器具１０により吸引された状態の部品をピックアップ器具１０から取り外すための付加機構が必要となり得る。
【００５０】
以上に説明したように、本発明の実施の形態２であるピックアップ装置１によれば、ＲＦＩＤタグ３１が配置された小型の部品（もしくはＲＦＩＤタグ３１自体）をピックアップ器具１０により吸引してピックアップする作業工程の際に、ピックアップ器具１０の先端部付近に形成された検出部１１を介して、ＲＦＩＤタグ３１に対して同時に情報の読み書きを行う。これにより、従来部品のピックアップとは別工程であった情報の読み書きを、ピックアップ工程に集約することが可能となる。
【００５１】
以上、本発明者によってなされた発明を実施の形態に基づき具体的に説明したが、本発明は上記の実施の形態に限定されるものではなく、その要旨を逸脱しない範囲で種々変更可能であることはいうまでもない。例えば、上記の実施の形態は本発明を分かりやすく説明するために詳細に説明したものであり、必ずしも説明した全ての構成を備えるものに限定されるものではない。また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加・削除・置換をすることが可能である。
【００５２】
例えば、上記の各実施の形態において図１〜図７の例で示した各ピックアップ装置１（ピックアップ器具１０）は、必ずしも人（作業者）が使用するものに限らず、ロボットの手指や腕等の機構によって操作する場合にも広く適用することができる。
【産業上の利用可能性】
【００５３】
本発明は、ＲＦＩＤタグを備えた物をピックアップするピックアップ装置に利用可能である。
【符号の説明】
【００５４】
１…ピックアップ装置、２…上位システム、３…部品、
１０…ピックアップ器具、１１…検出部、１２…ケーブル、１２ａ…ストリップライン、１２ｂ…同軸ケーブル芯線、１３…制御部、
３１…ＲＦＩＤタグ、
１０１ａ…上側板、１０１ｂ…下側板、１１１…切欠部、１１２…溝部、１１３…ポンプ部、１１４…ノズル部、１１５…吸引機構、１１６…電源部、１１７…エアフィルター、１１８ａ…吸引スイッチ、１１８ｂ…読取スイッチ、１２１…信号ライン、１２２…アースライン、１２３…アンテナ、１３１…アンテナ部、１３２…ケーブル
【図１】
2018124807.tif 000003
【図２】
2018124807.tif 000004
【図３】
2018124807.tif 000005
【図４】
2018124807.tif 000006
【図５】
2018124807.tif 000007
【図６】
2018124807.tif 000008
【図７】
2018124807.tif 000009